(57)【要約】【課題】前記ユニットバスのパネル部で覆われた内部を、確実に、かつ容易に洗浄することができる洗浄装置及び洗浄方法を提供する。【解決手段】ユニットバスのパネル部で覆われた内部を洗浄するユニットバス洗浄装置であって、噴射角度を調整可能に構成された、高圧の水または温水を噴射する噴射ノズル部６１と、前記噴射ノズル部との距離を調整可能に構成された把持部とからなる洗浄ノズル部６２と、前記洗浄ノズル部６２に、高圧の水または温水を供給する供給装置１０と、前記供給装置１０と洗浄ノズル部６２を接続するホース５３と、を少なくとも備え、前記噴射ノズル部６１から水または温水を、０．５乃至２０ＭＰａの圧力をもって噴射するように構成されている。【選択図】      図４
2004321219.tif 000002
【特許請求の範囲】
【請求項１】
ユニットバスのパネル部で覆われた内部を洗浄するユニットバス洗浄装置であって、
噴射角度を調整可能に構成された、高圧の水または温水を噴射する噴射ノズル部と、前記噴射ノズル部との距離を調整可能に構成された把持部とからなる洗浄ノズル部と、
前記洗浄ノズル部に、高圧の水または温水を供給する供給装置と、
前記供給装置と洗浄ノズル部を接続するホースと、
を少なくとも備え、
前記噴射ノズルから水または温水を、０．５乃至２０ＷＰａの圧力をもって噴射するように構成されていることを特徴とするユニットバス洗浄装置。
【請求項２】
ユニットバスのパネル部で覆われた内部を洗浄するユニットバス洗浄装置であって、
噴射角度を調整可能に構成された、高圧の酸性電解水を噴射する噴射ノズル部と、前記噴射ノズル部との距離を調整可能に構成された把持部とからなる洗浄ノズル部と、
前記洗浄ノズル部に、高圧の酸性電解水を生成供給する酸性電解水生成装置と、
前記酸性電解水生成装置と洗浄ノズル部を接続するホースと、
を少なくとも備え、
前記噴射ノズルから酸性電解水を、０．５乃至２０ＷＰａの圧力をもって噴射するように構成されていることを特徴とするユニットバス洗浄装置。
【請求項３】
前記噴射ノズルから噴射される酸性電解水が、ｐＨ４．０〜６．５であって、残留塩素源が次亜塩素酸（ＨＯＣｌ）であることを特徴とする請求項２に記載されたユニットバス洗浄装置。
【請求項４】
前記請求項１乃至請求項３のいずれかに記載されたユニットバス洗浄装置を用いて、ユニットバスのパネル部で覆われた内部を洗浄するユニットバスの洗浄方法であって、
前記ユニットバスの浴槽部の外周面、パネル部の内面、浴槽部が設置されたフロア―部を、０．５乃至２０ＭＰａの圧力の水または温水で洗浄することを特徴とするユニットバスの洗浄方法。
【請求項５】
前記０．５乃至２０ＭＰａの圧力の水または温水で洗浄した後、前記ユニットバスの浴槽部の外周面、パネル部の内面、浴槽部が設置されたフロア―部に、酸性電解水を塗布することを特徴とする請求項４に記載されたユニットバスの洗浄方法。
【請求項６】
前記請求項１乃至請求項３のいずれかに記載されたユニットバス洗浄装置を用いて、ユニットバスのパネル部で覆われた内部を洗浄するユニットバスの洗浄方法であって、
前記ユニットバスの浴槽部の外周面、パネル部の内面、浴槽部が設置されたフロア―部を、酸性電解水で０．５乃至２０ＭＰａの圧力をもって洗浄する工程とを少なくとも備えることを特徴とするユニットバスの洗浄方法。
【請求項７】
前記酸性電解水が、ｐＨ４．０〜６．５であって、残留塩素源が次亜塩素酸（ＨＯＣｌ）であることを特徴とする請求項５または請求項６に記載されたユニットバス洗浄方法。
【発明の詳細な説明】
【０００１】
【発明の属する技術分野】
本発明は、ユニットバス洗浄装置およびその洗浄方法に関し、特に、水、高圧酸性電解水等を噴射することにより、パネルで覆われたユニットバス内部のフロアー等を洗浄する、ユニットバス洗浄装置およびその洗浄方法に関する。
【０００２】
【従来の技術】
ユニットバスは、一般家庭、ホテル等において広く用いられている。このユニットバスＡは、図１に示すように、脚部１０１を備える浴槽部１００と、前記浴槽部１００を覆うパネル部１０２とから構成され、一般的に前記パネル部１０２のうち前面に位置するパネル部１０２ａは着脱自在に取り付けられている。
そして、給湯口１０３から浴槽内１００内に湯を供給することによって使用される。
【０００３】
【発明が解決しようとする課題】
ところで、前記浴槽内は使用後清掃され、ユニットバスは衛生的な状態に保たれるが、前記ユニットバスのパネル部で覆われた内部、即ち、浴槽部の外周面、パネル部の内面、浴槽部が設置されたフロア―部は、一般的に清掃されないか、清掃されたとしても不十分であった。
即ち、前記ユニットバスのパネル部で覆われた内部空間は狭く、清掃する者の手が入らないため、十分な清掃をすることができなかった。
そのため、前記ユニットバスのパネル部で覆われた内部には、カビ、湯垢、毛髪等が付着し、不衛生であるばかりでなく、長い間、清掃を行わないと異臭を放つことがあった。
【０００４】
本発明は、上記技術的課題を解決するためになされたものであり、前記ユニットバスのパネル部で覆われた内部、即ち、浴槽部の外周面、パネル部の内面、浴槽部が設置されたフロア―部を、確実に、かつ容易に洗浄することができる洗浄装置を提供することを目的とする。
また、本発明は、前記ユニットバスのパネル部で覆われた内部を確実に、かつ容易に洗浄することができる洗浄方法を提供することを目的とする。
【０００５】
【課題を解決するための手段】
本発明にかかる洗浄装置は、上記技術的課題を解決するためになされたものであり、ユニットバスのパネル部で覆われた内部を洗浄するユニットバス洗浄装置であって、噴射角度を調整可能に構成された、高圧の水または温水を噴射する噴射ノズル部と、前記噴射ノズル部との距離を調整可能に構成された把持部とからなる洗浄ノズル部と、前記洗浄ノズル部に、高圧の水または温水を供給する供給装置と、前記供給装置と洗浄ノズル部を接続するホースと、を少なくとも備え、前記噴射ノズルから水または温水を、０．５乃至２０ＷＰａの圧力をもって噴射するように構成されていることを特徴としている。
【０００６】
このように、噴射ノズル部における噴射角度が、調整可能に構成され、しかも把持部と噴射ノズルとの距離が調整可能に構成されているため、前記ユニットバスのパネル部で覆われた狭い内部に噴射ノズル部を挿入でき、容易に洗浄することができる。
また、前記噴射ノズルから水または温水を、０．５乃至２０ＷＰａの圧力をもって噴射するように構成されているため、確実に洗浄することができる。
【０００７】
また、本発明にかかる洗浄装置は、上記技術的課題を解決するためになされたものであり、ユニットバスのパネル部で覆われた内部を洗浄するユニットバス洗浄装置であって、噴射角度を調整可能に構成された、高圧の酸性電解水を噴射する噴射ノズル部と、前記噴射ノズル部との距離を調整可能に構成された把持部とからなる洗浄ノズル部と、前記洗浄ノズル部に、高圧の酸性電解水を生成供給する酸性電解水生成装置と、前記酸性電解水生成装置と洗浄ノズル部を接続するホースと、を少なくとも備え、前記噴射ノズルから酸性電解水を、０．５乃至２０ＷＰａの圧力をもって噴射するように構成されていることを特徴としている。
【０００８】
このように、噴射ノズルから酸性電解水を、０．５乃至２０ＭＰａの圧力をもって噴射するように構成されているため、前記ユニットバスのパネル部で覆われた内部を確実に洗浄、殺菌することができ、しかも、作業者に対する酸性電解水の飛散も少ない。
【０００９】
ここで、前記噴射ノズルから噴射される酸性電解水が、ｐＨ４．０〜６．５であって、残留塩素源が次亜塩素酸（ＨＯＣｌ）であることが望ましい。
このように、残留塩素源が次亜塩素酸（ＨＯＣｌ）であるため、作業者あるいはユニットバスを使用する者に対する悪影響を極力回避することができる。
【００１０】
本発明にかかる洗浄方法は、上記技術的課題を解決するためになされたものであり、前記ユニットバス洗浄装置を用いて、ユニットバスのパネル部で覆われた内部を洗浄するユニットバスの洗浄方法であって、前記ユニットバスの浴槽部の外周面、パネル部の内面、浴槽部が設置されたフロア―部を、０．５乃至２０ＭＰａの圧力の水または温水で洗浄することを特徴としている。
【００１１】
このように、０．５乃至２０ＭＰａの圧力の水または温水で前記ユニットバスの浴槽部の外周面、パネル部の内面、浴槽部が設置されたフロア―部を洗浄することにより、カビ、湯垢、毛髪等を除去することができ、確実に洗浄することができる。
【００１２】
ここで、前記０．５乃至２０ＭＰａの圧力の水または温水で洗浄した後、前記ユニットバスの浴槽部の外周面、パネル部の内面、浴槽部が設置されたフロア―部に、酸性電解水を塗布することが望ましい。
このように、酸性電解水を塗布することにより、殺菌を行うことができ、悪臭を除去できる。
【００１３】
本発明にかかる洗浄方法は、上記技術的課題を解決するためになされたものであり、前記請求項１乃至請求項３のいずれかに記載されたユニットバス洗浄装置を用いて、ユニットバスのパネル部で覆われた内部を洗浄するユニットバスの洗浄方法であって、前記ユニットバスの浴槽部の外周面、パネル部の内面、浴槽部が設置されたフロア―部を、酸性電解水で、０．５乃至２０ＭＰａの圧力をもって洗浄する工程とを少なくとも備えることを特徴としている。
【００１４】
このように、０．５乃至２０ＭＰａの圧力の酸性電解水で前記ユニットバスの浴槽部の外周面、パネル部の内面、浴槽部が設置されたフロア―部を洗浄することにより、カビ、湯垢、毛髪等を除去できると共に、殺菌を行うことができる。
その結果、前記ユニットバスのパネル部で覆われた内部を確実に洗浄することができ、悪臭等を除去することができる。また、０．５乃至２０ＭＰａの圧力の酸性電解水で洗浄するため、作業者に対する酸性電解水の飛散を極力抑制できる。
また、前記酸性電解水が、ｐＨ４．０〜６．５であって、残留塩素源が次亜塩素酸（ＨＯＣｌ）であることが望ましい。このように、残留塩素源が次亜塩素酸（ＨＯＣｌ）であるため、作業者あるいはユニットバスを使用する者に対する悪影響を極力回避することができる。
【００１５】
【発明の実施の形態】
本発明にかかる洗浄装置および洗浄方法を図２乃至図７に示した一実施形態に基づいて説明する。図２は、本発明の洗浄装置における高圧酸性電解水生成装置の概略的な平面構成図を示す。図３は、図２に示した高圧酸性電解水生成装置の動作説明図、図４、図５は洗浄ノズル部の構成を示す図であって、図４は伸長状態を示す図、図５は、収縮させた状態を示す図、図６はノズルチップ部を示す図、図７は洗浄状態を示す図である。
【００１６】
本発明にかかる洗浄方法にあっては、洗浄液として酸性電解水を用いる点に特徴がある。酸性電解水は機能水の一種であって、例えば、水の電気分解処理により生成することができる。この酸性電解水は、その優れた殺菌消毒・消臭効果等が認められるため、洗浄液として好適である。
【００１７】
また、酸性電解水には、ｐＨ、残留塩素濃度及び残留塩素源により、種々ある。例えば、ｐＨ２〜３の強酸性では塩素ガス（Ｃｌ２）が残留塩素源であり、ガス化するので安定せず高濃度では危険である。またｐＨ８〜９のアルカリ性では次亜塩素酸イオン（ＣｌＯ−）が残留塩素源であり、殺菌力が弱いため高濃度とする必要がある。
【００１８】
これに対して、ｐＨ４．０〜６．５（好適には５．０〜５．５）の酸性では殺菌力の高い次亜塩素酸（ＨＯＣｌ）が残留塩素源となり、低濃度で十分な効果が得られる。したがって、本発明にかかる洗浄にあっては、ｐＨ４．０〜６．５（好適には５．０〜５．５）の酸性であって、次亜塩素酸（ＨＯＣｌ）が残留塩素源となる酸性電解水が用いられる。
【００１９】
特に、前記ユニットバスのパネル部で覆われた内部、即ち、浴槽部の外周面、パネル部の内面、浴槽部が設置されたフロア―部を洗浄するため、残留塩素源の濃度が低く、かつ殺菌効果が高い酸性電解水が、ユニットバスを清掃する作業者あるいは使用する者に対する悪影響を極力排除できるため、好ましい。
前記酸性電解水は、通常の水に食塩（ＮａＣｌ）と塩酸（ＨＣｌ）を少量含有させた後、電気分解することにより生成することができる。
【００２０】
次に、図２，３に基づいて、高圧酸性電解水生成装置について説明する。
高圧酸性電解水生成装置１０は、直方体の筐体３４内に各構成要素を無駄なく配置格納することによりコンパクトにユニット化されている。図２の平面図は、筐体３４の天板を除いた状態を示す。ジーゼルエンジン２２は、Ｖベルトを介して接続された高圧ポンプ２４を駆動し、また、エンジンに組み込まれた交流発電機を駆動することによりユニット内の各装置へ電力を提供する。
【００２１】
筐体３４内には、酸性電解水生成装置１２、水タンク１４、制御装置１６、制御パネル１８及びボイラー２０等の各装置が設置される。また、種々の配管を通すための配管スペース２８及び付属品等を収納する収納スペース２６が適宜設けられる。外部から水道水を供給する給水口３０と、高圧とされた酸性電解水を吐出するホースを接続する吐出口３２が、筐体外へ突出している。
なお、図示を省くが各装置間を接続する電気配線、分岐栓及び開閉バルブ、水の排水口、エンジンやボイラー等の排気口も設けられる。筐体３４の側面には、各装置の操作やメンテナンスを行うため、適宜の箇所に開閉扉が設けられている。
【００２２】
前記高圧酸性電解水生成装置１０は、図３に示すように、酸性電解水生成装置１４により生成される酸性電解水を高圧で吐出することができるが、必要に応じて従来通り通常の水（温水）を吐出することもできる。いずれの場合も給水口３２から水道水等の通常の水を給水する。
酸性電解水による洗浄を行う場合には、切換えレバー４１により切換えバルブ４２を酸性電解水生成装置１２へ連通させ、通常の水を酸性電解水生成装置１２において酸性電解水を生成し、生成された酸性電解水を水タンク１４へ送出し、充填する。
【００２３】
また、通常の水による洗浄を行う場合には、切換えレバー４１により切換えバルブ４２を配管４３に切換え、直接水タンク１４へ連通させて水タンク１４に通常の水を充填する。
尚、水タンクには排水バルブ４５及び排水バルブを開閉する排水レバー４４が設けられている。
【００２４】
前記酸性電解水は、通常の水に食塩（ＮａＣｌ）と塩酸（ＨＣｌ）を少量含有させた後、電気分解することにより生成される。洗浄作業を行う際、水タンク１４に貯留された酸性電解水（若しくは通常の水）は、高圧ポンプ２４に送られる。高圧ポンプ２４は、プランジャポンプが好適である。
高圧ポンプ２４から送出される高圧酸性電解水（若しくは通常の水）の圧力は、調圧バルブ４６により圧力調整され、余剰水は水タンク１４へ戻される。符号４７は圧力計である。その後、冷水のまま吐出する場合は、温冷水切換えバルブ４９を経て冷水吐出口３０ａから高圧酸性電解水（若しくは通常の水）が吐出される。
【００２５】
一方、温水として吐出する場合は、切換えレバー４８により温冷水切換えバルブ４９をボイラー２０へ連通させて高圧酸性電解水（若しくは通常の水）をボイラー２０へ送出する。ボイラー２０により適温に加熱された高圧酸性電解水（若しくは通常の水）が送出され、調圧弁５０により圧力調整され、余剰水は水タンク１４へ戻される。符号５１は圧力計である。その後、温水吐出口３０ｂから高圧酸性電解水（若しくは通常の水）が吐出される。
尚、図３では、吐出口が冷水用３０ａと温水用３０ｂと別個に設けているが、１つの吐出口で兼用するのが好ましい。吐出口へは、通常、適宜の長さの吐出ホース５３が接続され、吐出ホースの先端には、図４乃至図６に示す洗浄ノズル部が取り付けられる。
【００２６】
次に、図４乃至図６に基づいて、洗浄ノズル部を説明する。
図４に示すように、洗浄ノズル部６０は、高圧の酸性電解水（若しくは通常の水）を噴射する噴射ノズル部６１と、伸縮自在に形成され、噴射ノズル部６１までの距離を可変調整することができる把持部６２とから構成されている。
前記した高圧酸性電解水生成装置１０の吐出口に接続されたホース５３は、ノズルパイプ６３に接続されている。このノズルパイプ６３の先端部には、ノズルチップ部６１ａが形成されている。
【００２７】
また、ノズルパイプ６３及びこのノズルパイプ６３に接続されたホース５３は、収容パイプ６４の内部に収容されると共に、その収容パイプ６４の外周面を軸線方向に摺動可能に把持部６２が設けられている。
この把持部６２は握り部６２ａ及び固定部６２ｂと、縮径パイプ６２ｃとからなり、前記固定部６２ｂを回動させることにより、縮径パイプ６２ｃの内径を小さくし、把持部６２を収容パイプ６４の任意の位置に固定できるように構成されている。
【００２８】
また、前記ホース５３にはストッパー６７が形成され、図４に示すように把持部６２が伸長した際、把持部６２の脱落を防止するため、前記縮径パイプ６２ｃの端部に当接するように構成されている。また、前記収容パイプ６４の噴射ノズル部６１側の外周面にはストッパー６６が形成されている。このストッパー６６は、図５に示すように、把持部６３の固定部６２ｂが当接することにより、把持部６２の前方への移動が規制される。
したがって、前記把持部６２は、前記ストッパー６７とストッパー６６との間を移動することができ、噴射ノズル部６１と把持部６２の間の距離を可変することができる。
【００２９】
また、噴射ノズル部６１のノズルチップ部６１ａは、図６に示すように、ノズル保持体６１ｃに対して、ノズル６１ｂの角度が調整可能に構成されている。
即ち、ノズル６１ｂの球状部６１ｄがノズル保持部６１ｃ内部に収納され、スプリング６１ｅの反発力で、ノズル保持部６１ｃに圧接させている。そのため、一定の回動力をもってノズル６１ｂを回動させると、ノズルの角度を変えることができる。可変できるノズルの角度θは略９０度である。
なお、図６中、６１ｆは酸性電解水（若しくは通常の水）が通過する貫通孔、６１ｇはノズルに形成された酸性電解水（若しくは通常の水）が通過する貫通孔、６１ｈはＯリングである。
また、前記ノズル６１ｂからの噴射は、直線状に噴射するより扇状に噴射するのが、洗浄効果に優れ、好ましい。
【００３０】
このように、洗浄ノズル部６０を伸縮自在に形成すると共に、先端部に形成された噴射ノズル部６１のノズル６１ｂを回動可能（調整可能）に形成したため、前記ユニットバスのパネル部で覆われた内部、即ち、浴槽部の外周面、パネル部の内面、浴槽部が設置されたフロア―部を、確実に、かつ容易に洗浄することができる。
【００３１】
特に、作業者の手の入らない、浴槽部の裏面部、底面部、背面側パネル部を確実に洗浄することができる。
また、ノズル６１ｂから噴射される酸性電解水（若しくは通常の水）が高圧であるため、仮に酸性電解水（若しくは通常の水）が直接、浴槽部の裏面部、底面部、背面側パネル部に当たらなくとも、他のパネル面、あるいは浴槽部の外周面に当たった酸性電解水が当たり、汚れを落とすことができる。
このノズル６１ｂからの噴射圧力は、０．５〜２０ＭＰａ程度が好ましい。この圧力が低いと酸性電解水（若しくは通常の水）が直接あたる部分のみ汚れが落ち、直接当たらない部分の汚れが落ちない虞がある。一方、これ以上の圧力の場合、酸性電解水（若しくは通常の水）が飛散し、作業者が汚れる虞があるため、好ましくない。
【００３２】
次に、図７に基づいて洗浄方法について説明する。
まず、ユニットバスの全面パネルを取り外す。そして、通常の水、または温水をノズルチップ部６１ａ（ノズル６１ｂ）から前記した圧力で噴射することによって、カビ、湯垢、毛髪等を除去する。
このとき、浴槽部１００が設置されたフロアー面１０２ｂを洗浄し、続いて、浴槽部側面１０２ｃ、側面パネル面１０２ｄを洗浄する。更に、浴槽部裏面（図示せず）、裏側パネル面１０２ｅを洗浄した後、浴槽部底面１０２ｆを洗浄し、再びフロアー面１０２ｂを洗浄する。また、取り外されたパネル１０２ａを洗浄する。なお、洗浄中、前記ノズル６１ｂの角度は作業者によって、適宜調整しながら行われる。
【００３３】
この後、前記した圧力より低い圧力で酸性電解水を噴射させ、酸性電解水を塗布する。この酸性水電解水は、その噴射圧力でカビ、湯垢、毛髪等を除去するものではなく、殺菌を目的とするため、水または温水の噴射圧力より低い圧力で足りる。
また、この酸性電解水による塗布の順番も、前記した水または温水の洗浄の場合と同様に、浴槽部が設置されたフロアー面１０２ｂを塗布し、続いて、浴槽部側面１０２ｃ、側面パネル面１０２ｄを塗布する。更に、浴槽部裏面（図示せず）、裏側パネル面１０ｅを塗布した後、浴槽部底面１０２ｆを塗布し、再びフロアー面１０２ｂを塗布する。また、取り外されたパネル１０２ａを塗布する。なお、洗浄中、前記ノズルの角度は作業者によって、適宜調整しながら行われる。
【００３４】
このように、酸性電解水を塗布することにより、殺菌を行うことができ、衛生的であり、異臭を除去することができる。しかも、前記したように高圧で噴射角度を変えながら、水または温水で洗浄するため、前記ユニットバスのパネル部で覆われた内部、即ち、浴槽部の外周面、パネル部の内面、浴槽部が設置されたフロア―部を、確実に、かつ容易に洗浄することができる。
特に、浴槽部裏面、裏側パネル面、浴槽部底面を、確実に洗浄することができる。
【００３５】
なお、上記実施形態にあっては、ノズルの噴射角度を可変できるように構成した場合を示したが、例えば、図８に示すように、ホース５３が接続されるノズル管７０を、可撓性を有する素材で形成することにより、ノズル６１ｂ（噴射ノズル部６１）の噴射角度を可変できるようにしても良い。
例えば、ノズル管７０として、アルミニウム製の管を用いることができる。なお、必要に応じて、前記実施形態で設けた把持部を設けても良い。
【００３６】
また、上記実施形態にあっては、水または温水で洗浄した後、酸性電解水を塗布したが、水または温水による洗浄のみであっても良い。この場合、酸性電解水による殺菌が行われていないため、殺菌の度合いは低くなる。
また、水または温水で洗浄を行うことなく、酸性電解水のみの洗浄であっても良い。この酸性電解水による洗浄の順番及び噴射の圧力も、前記した水または温水の場合と同様に行なわれる。なお、洗浄中、前記ノズルの角度は作業者によって、適宜調整しながら行われる。
このように、酸性電解水による洗浄により、カビ、湯垢、毛髪等を除去することができると共に、殺菌を同時に行うことができ、衛生的であり、異臭を除去することができる。
【００３７】
【発明の効果】
本発明によれば、前記ユニットバスのパネル部で覆われた内部を、確実に、かつ容易に洗浄することができる。
【図面の簡単な説明】
【図１】図１は、ユニットバスの概略構成を示す側面図である。
【図２】図２は、本発明の洗浄装置における高圧酸性電解水生成装置の概略的な平面構成図である。
【図３】図３は、図２に示した高圧酸性電解水生成装置の動作説明図である。
【図４】図４は洗浄ノズル部の構成を示す図であって、伸長状態を示す側面図である。
【図５】図５は洗浄ノズル部の構成を示す図であって、収縮させた状態を示す側面図である。
【図６】図６は、ノズルチップ部を示す側面図である。
【図７】図７は、洗浄状態を示す図である。
【図８】図８は、洗浄装置の他の実施形態を示す図である。
【符号の説明】
１０      高圧酸性電解水生成装置
５３      ホース部
６０      洗浄ノズル部
６１      噴射ノズル部
６１ａ    ノズルチップ部
６１ｂ    ノズル
６２      把持部
６２ａ    握り部
７０      ノズル管
【図１】
2004321219.tif 000003
【図２】
2004321219.tif 000004
【図３】
2004321219.tif 000005
【図４】
2004321219.tif 000006
【図５】
2004321219.tif 000007
【図６】
2004321219.tif 000008
【図７】
2004321219.tif 000009
【図８】
2004321219.tif 000010
【手続補正書】
【提出日】平成15年4月24日(2003.4.24)
【手続補正１】
【補正対象書類名】明細書
【補正対象項目名】請求項１
【補正方法】変更
【補正の内容】
【請求項１】
ユニットバスのパネル部で覆われた内部を洗浄するユニットバス洗浄装置であって、
噴射角度を調整可能に構成された、高圧の水または温水を噴射する噴射ノズル部と、前記噴射ノズル部との距離を調整可能に構成された把持部とからなる洗浄ノズル部と、
前記洗浄ノズル部に、高圧の水または温水を供給する供給装置と、
前記供給装置と洗浄ノズル部を接続するホースと、
を少なくとも備え、
前記噴射ノズルから水または温水を、０．５乃至２０ＭＰａの圧力をもって噴射するように構成されていることを特徴とするユニットバス洗浄装置。
【手続補正２】
【補正対象書類名】明細書
【補正対象項目名】請求項２
【補正方法】変更
【補正の内容】
【請求項２】
ユニットバスのパネル部で覆われた内部を洗浄するユニットバス洗浄装置であって、
噴射角度を調整可能に構成された、高圧の酸性電解水を噴射する噴射ノズル部と、前記噴射ノズル部との距離を調整可能に構成された把持部とからなる洗浄ノズル部と、
前記洗浄ノズル部に、高圧の酸性電解水を生成供給する酸性電解水生成装置と、
前記酸性電解水生成装置と洗浄ノズル部を接続するホースと、
を少なくとも備え、
前記噴射ノズルから酸性電解水を、０．５乃至２０ＭＰａの圧力をもって噴射するように構成されていることを特徴とするユニットバス洗浄装置。
【手続補正３】
【補正対象書類名】明細書
【補正対象項目名】０００５
【補正方法】変更
【補正の内容】
【０００５】
【課題を解決するための手段】
本発明にかかる洗浄装置は、上記技術的課題を解決するためになされたものであり、ユニットバスのパネル部で覆われた内部を洗浄するユニットバス洗浄装置であって、噴射角度を調整可能に構成された、高圧の水または温水を噴射する噴射ノズル部と、前記噴射ノズル部との距離を調整可能に構成された把持部とからなる洗浄ノズル部と、前記洗浄ノズル部に、高圧の水または温水を供給する供給装置と、前記供給装置と洗浄ノズル部を接続するホースと、を少なくとも備え、前記噴射ノズルから水または温水を、０．５乃至２０ＭＰａの圧力をもって噴射するように構成されていることを特徴としている。


【手続補正４】
【補正対象書類名】明細書
【補正対象項目名】０００６
【補正方法】変更
【補正の内容】
【０００６】
このように、噴射ノズル部における噴射角度が、調整可能に構成され、しかも把持部と噴射ノズルとの距離が調整可能に構成されているため、前記ユニットバスのパネル部で覆われた狭い内部に噴射ノズル部を挿入でき、容易に洗浄することができる。
また、前記噴射ノズルから水または温水を、０．５乃至２０ＭＰａの圧力をもって噴射するように構成されているため、確実に洗浄することができる。


【手続補正５】
【補正対象書類名】明細書
【補正対象項目名】０００７
【補正方法】変更
【補正の内容】
【０００７】
また、本発明にかかる洗浄装置は、上記技術的課題を解決するためになされたものであり、ユニットバスのパネル部で覆われた内部を洗浄するユニットバス洗浄装置であって、噴射角度を調整可能に構成された、高圧の酸性電解水を噴射する噴射ノズル部と、前記噴射ノズル部との距離を調整可能に構成された把持部とからなる洗浄ノズル部と、前記洗浄ノズル部に、高圧の酸性電解水を生成供給する酸性電解水生成装置と、前記酸性電解水生成装置と洗浄ノズル部を接続するホースと、を少なくとも備え、前記噴射ノズルから酸性電解水を、０．５乃至２０ＭＰａの圧力をもって噴射するように構成されていることを特徴としている。